(57)【要約】      （修正有）【課題】装着の煩わしさがなく、実際の天体観測行為を疑似体験できる擬似天体観測体験装置を提供する。【解決手段】筐体と、筐体の内部を視認可能な接眼部と、筺体内に設けられ接眼部を通じて視認可能な表示部と、観測位置および１または日時を入力可能な入力部と、接眼部に対して表示部が向いている方位を検出する方位検出手段と、表示部の重力方向に対する傾きを検出する傾き検出手段と、天体画像に関するデータを記憶した記憶部と、入力部から入力された観測位置および／または日時と、方位検出手段で検出された方位と、傾き検出手段で検出された傾きに応じて、記憶部に記憶された天体画像に関するデータを用いて天体画像を表示部に表示する天体画像表示処理手段を有する。【選択図】図２
0003158703.tif 000002
【実用新案登録請求の範囲】
【請求項１】
筐体と、ユーザが自らの眼を近接させることにより前記筐体の内部を視認可能な接眼部と、前記筺体内に設けられ前記接眼部を通じて視認可能な表示部と、観測位置または日時の少なくともいずれか一方を入力可能な入力部と、前記接眼部に対して前記表示部が存在する方向が向いている方位を検出する方位検出手段と、前記表示部の重力方向に対する傾きを検出する傾き検出手段と、天体画像を表示するためのデータを含む天体画像に関するデータを記憶した記憶部と、前記入力部から入力された観測位置および／または日時と、前記方位検出手段で検出された方位と、前記傾き検出手段で検出された傾きに応じて、前記記憶部に記憶された天体画像に関するデータを用いて天体画像を前記表示部に表示する天体画像表示処理手段を有することを特徴とする擬似天体観測体験装置。
【請求項２】
前記表示部に表示されている天体画像を外部の表示装置に出力可能な外部出力端子を有する請求項１に記載の擬似天体観測体験装置。
【請求項３】
前記表示部に前記天体画像と重ねてカーソルを表示するカーソル表示処理部を有し、前記記憶部に記憶された天体画像に関するデータには、少なくとも星座または天体の名称データ、星座絵、星座線を表示するためのデータ、星座および天体毎に互いに重複しないように定められた当該星座または天体が天球上で占める領域に関するデータが含まれており、前記星座および天体毎に互いに重複しないように定められた当該星座または天体が天球上で占める領域に関するデータに基づいて前記カーソルがいずれの星座または天体の天球上で占める領域にあるかを判断するカーソル位置判断手段を有し、前記天体画像表示処理手段は、前記入力部からの入力に応じて、前記天体画像の表示状態を、前記天体画像に関するデータに基づいて星座または天体の名称、星座絵、星座線が全て表示された状態と、星座または天体の名称は表示されておらず、前記カーソル位置判断手段によってカーソルがあると判断された領域の星座または天体についてのみ星座または天体の名称が表示される状態と、星座線が表示されておらず、前記カーソル位置判断手段によってカーソルがあると判断された領域の星座についてのみ星座線が表示される状態との間で切り替えることを特徴とする請求項１または請求項２に記載の擬似天体観測体験装置。
【考案の詳細な説明】
【技術分野】
【０００１】
本考案は、擬似天体観測体験装置に関するものである。
【０００２】
従来、星や星座からなる天体を光学的に表示する天体表示装置が知られている（例えば、特許文献１、２参照）。
図１に示すように、特許文献１に記載の天体表示装置１００はユーザの頭部に被って使用するものであり、頭部形状に倣って曲面状に形成された頭部装着体１０１を有する。頭部装着体１０１には、全体コ字状をした光透過型のゴーグル部１０２が上下方向に回動可能に支持されており、ゴーグル部１０２はケーブル１０３によってキー入力部１０４と接続されている。
【０００３】
頭部装着体１０１の内部には、ＧＰＳ（Global Positioning System）受信部１０５、仰角検出センサ１０６、方位検出センサ１０７、およびこれらの検出信号を受けてＧＰＳ情報（位置）、頭部装着体１０１の仰角、頭部装着体１０１の向きの方位等を算出する信号処理部１０８が取り付けられている。
また、ゴーグル部１０２は、装着状態でユーザの両眼に対向する左右一対のＬＣＤ表示部１０９、１０９を有しており、信号処理部１０８の制御により、ＧＰＳ情報（位置）、頭部装着体１０１の仰角、頭部装着体１０１の向きの方位に対応した天体データ（星名、星座名、星の配置等）がＬＣＤ表示部１０９に表示される。
【０００４】
これにより、ユーザが天体表示装置１００を頭部に装着して、任意の方向に頭部を向けることにより、ユーザの位置においてユーザが眺める方向の天体データがＬＣＤ表示部１０９に表示されるので、ユーザは星や星座を擬似的に観測することができる。
【０００５】
また、特許文献２では、携帯端末装置に天体表示装置の機能を設けたものであり、携帯端末装置のある位置、時間、携帯端末装置の向きに基づいて、天体データを表示する。
これにより、ユーザは観測したい方向の天体データを容易に得ることができる。
【先行技術文献】
【特許文献】
【０００６】
【特許文献１】特開平１０−３９７４５号公報（第１図）
【特許文献２】特開２００４−１３０６６号公報
【考案の概要】
【考案が解決しようとする課題】
【０００７】
しかしながら、特許文献１に記載の天体表示装置１００では、ユーザが頭に被って使用するものであるため、使用時に煩わしいという問題がある。また、小休止する際には、いちいち天体表示装置１００を頭から外さねばならず面倒である。さらに、頭部装着式なので、ユーザは観測したい星座等の方向へ頭部を向けねばならず、表示しようとする星座や天体の方向によっては苦痛な姿勢を強いられるという問題もある。
【０００８】
一方、特許文献２に記載の携帯端末装置では、ユーザは携帯端末装置の液晶表示板を見ているだけであり、特許文献１の天体表示装置１００に比して、使用が容易であるとともに、無理な姿勢を強いられることもないが、実際の天体観測行為と著しく異なるため、実際の天体観測の雰囲気を体験することができないという問題がある。
【０００９】
そこで、本考案は、上記問題点に鑑みなされたものであって、装着の煩わしさがなく、かつ、実際の天体観測行為を疑似体験できるような擬似天体観測体験装置を提供するものである。
【課題を解決するための手段】
【００１０】
前記課題を解決するために、本考案である擬似天体観測体験装置は、筐体と、ユーザが自らの眼を近接させることにより前記筐体の内部を視認可能な接眼部と、前記筺体内に設けられ前記接眼部を通じて視認可能な表示部と、観測位置または日時の少なくともいずれか一方を入力可能な入力部と、前記接眼部に対して前記表示部が存在する方向が向いている方位を検出する方位検出手段と、前記表示部の重力方向に対する傾きを検出する傾き検出手段と、天体画像を表示するためのデータを含む天体画像に関するデータを記憶した記憶部と、前記入力部から入力された観測位置および／または日時と、前記方位検出手段で検出された方位と、前記傾き検出手段で検出された傾きに応じて、前記記憶部に記憶された天体画像に関するデータを用いて天体画像を前記表示部に表示する天体画像表示処理手段を有することを特徴とする。
【００１１】
上記構成において、前記表示部に表示されている天体画像を外部の表示装置に出力可能な外部出力端子を有する、構成を採用できる。
【００１２】
上記構成において、前記表示部に前記天体画像と重ねてカーソルを表示するカーソル表示処理部を有し、前記記憶部に記憶された天体画像に関するデータには、少なくとも星座または天体の名称データ、星座絵、星座線を表示するためのデータ、星座および天体毎に互いに重複しないように定められた当該星座または天体が天球上で占める領域に関するデータが含まれており、前記星座および天体毎に互いに重複しないように定められた当該星座または天体が天球上で占める領域に関するデータに基づいて前記カーソルがいずれの星座または天体の天球上で占める領域にあるかを判断するカーソル位置判断手段を有し、前記天体画像表示処理手段は、入力部からの入力に応じて、前記天体画像の表示状態を、前記天体画像に関するデータに基づいて星座または天体の名称、星座絵、星座線が全て表示された状態と、星座または天体の名称は表示されておらず、前記カーソル位置判断手段によってカーソルがあると判断された領域の星座または天体についてのみ星座または天体の名称が表示される状態と、星座線が表示されておらず、前記カーソル位置判断手段によってカーソルがあると判断された領域の星座についてのみ星座線が表示される状態との間を切り替える、構成を採用できる。
【考案の効果】
【００１３】
本考案の擬似天体観測体験装置によれば、ユーザは、擬似天体観測体験装置の筐体の内部を接眼部から覗いて、筐体内部に設けられている表示部に表示される天体画像を視認するので、装着の煩わしさがなく、かつ、あたかも望遠鏡を用いて天体観測しているようで、違和感なく天体観測を疑似体験することができる。
また、表示部には、入力部より入力された観測位置および日時と、方位検出手段で検出された方位と、傾き検出手段で検出された傾きに応じた天体画像が表示されるので、屋内に居ながら、現在、過去、未来および地球上のあらゆる場所における天体観測を擬似的に体験することができる。
【図面の簡単な説明】
【００１４】
【図１】従来の天体表示装置を透視した斜視図である。
【図２】本考案の擬似天体観測体験装置の全体を示す斜視図である。
【図３】装置本体を台座から外した状態を示す斜視図である。
【図４】図２中ＩＶ−ＩＶ位置の断面図である。
【図５】図２中Ｖ方向から見た平面図である。
【図６】制御系統を示すブロック図である。
【図７】ユーザが装置本体を把持した使用状態を示す斜視図である。
【図８】（Ａ）〜（Ｃ）は、液晶表示板に表示する天体画像の表示態様の例を示す説明図である。
【考案を実施するための形態】
【００１５】
以下、図面を参照して本考案について詳細に説明する。
【００１６】
図２乃至図５に示すように、本考案の実施形態にかかる擬似天体観測体験装置１０は、装置本体２０と、この装置本体２０を着脱可能に固定して載置するための台座４０を有する。
【００１７】
装置本体２０は、望遠鏡を模した筐体２１を有しており、筐体２１は、台座４０に固定されたりユーザに把持されたりする箱状の基部２２と、望遠鏡の鏡筒のように基部２２から突出する円筒形状の筒状部２３を有する。筒状部２３は、内部が空間の外筒２３ａと内筒２３ｂとを有し、全体として伸縮可能となっている。本実施例においては、筒状部２３の先端である外筒２３ａの先端は蓋２３ｃによって塞がれており、筒状部２３を通して何かを視認可能なものではない。
【００１８】
基部２２は、例えば長円形断面の箱状をしており、半円形状の一側面には一対の接眼部２４、２４（図４参照）が設けられており、各接眼部２４の外側にはユーザの目を当てる接眼レンズ２５が取り付けられている。接眼レンズ２５には、ユーザを保護するために軟らかいアイピース２５ａが取り付けられている。また、図４に示すように、各接眼部２４の内側には、基部２２を貫通するように筒２６が設けられており、筒２６の先端部にはメイン基板２７が取り付けられている。メイン基板２７の手前側すなわち接眼レンズ２５側には、ユーザが接眼部２４を通じて視認可能な位置に表示部としての液晶表示板２８が設けられており、メイン基板２７に電気的に接続されている。
【００１９】
ユーザが装置本体２０を把持した際に、把持した手またはもう一方の手で容易に操作できる基部２２における位置、例えば基部２２と筒状部２３の接続部上面には、操作部２９が設けられている。操作部２９には、各種の操作ボタンが設けられており、メイン基板２７に接続されている。例えば、図５に示すように、メニューを液晶表示板２８に表示させるメニューボタン２９ａ、メニューの選択、カーソル３７（図８参照）の上下左右への移動、天球のズーム等を行う十字ボタン２９ｂ、メニューの決定等を行う決定ボタン２９ｃ、決定等をキャンセルするキャンセルボタン２９ｄ、液晶表示板２８に表示されている天体画像を画像データとして記録する（「撮影する」）撮影ボタン２９ｅが接続されている。操作部２９の各ボタンは、擬似天体観測体験装置１０にて擬似的に天体観測をする際に、観測位置および日時を入力するための入力部としても機能する。
【００２０】
図４および図６に示すように、基部２２の内部には、センサ部３１が設けられており、接眼部２４から見て液晶表示板２８が存在する方向が向いている方位を検出する方位検出手段としての３軸磁気方位センサ３１ａ、液晶表示板２８の重力方向に対する傾きを検出する傾き検出手段としての３軸加速度センサ３１ｂ、装置本体２０の位置を検出するＧＰＳ受信部３１ｃを有する。これらのセンサ等が検出した信号は、メイン基板２７に送られる。なお、ＧＰＳ受信部３１ｃが検出した装置本体２０の現在位置は、擬似天体観測体験装置１０にて擬似的に天体観測をする際の観測位置として利用され得るので、観測位置を入力する入力部としても機能している。
【００２１】
基部２２の前面には、メイン基板２７に接続されたジャックパネル３２が設けられている。ジャックパネル３２には、液晶表示板２８に表示されている天体画像をテレビ等の外部表示装置に出力するための外部出力端子であるＡＶジャック３２ａや電源スイッチ３２ｂが設けられている。そのほか、ACアダプタジャック、イヤホンジャック等も設けられている。
【００２２】
基部２２の下部には、電源であるバッテリーボックス３３や、スピーカ３４が設けられており、メイン基板２７に接続されている。また、基部２２の下面には、装置本体２０を台座４０に固定するためのネジ穴３５が設けられている。
なお、基部２２の側面に指掛け部３６を突設して把持しやすくし、装置本体２０の落下を防止するのが望ましい。
【００２３】
台座４０は、例えば円板のベースプレート４１を有しており、ベースプレート４１の上には回転部４２がベースプレート４１に対して回転可能に設けられている。回転部４２から上方（図４において上方）に突出した凸部４２ａには、装置本体２０の基部２２を支持する支持部４３が、回転軸４２ｂによって上下方向へ回転可能に設けられている。
【００２４】
支持部４３は、回転軸４２ｂに回転可能に支持される脚部４３ａと、脚部４３ａに連結され装置本体２０を支持する受け部４３ｂを有する。受け部４３ｂの支持面は装置本体２０の基部２２の下面形状に沿った形状を有し、装置本体２０を固定するための固定ネジ４４が設けられている。従って、固定ネジ４４を装置本体２０の基部２２のネジ穴３５に螺合して、装置本体２０を固定する。
なお、回転軸４２ｂにはロック装置を設けて、装置本体２０の台座４０に対する仰角を所定角度で固定できるようにするのが望ましい。
【００２５】
次に、図６に基づいて、擬似天体観測体験装置１０の制御系統について説明する。
【００２６】
制御装置としてのメイン基板２７は、中央処理装置（ＣＰＵ）２７ａ、タイマー２７ｂ、ＲＯＭ２７ｃ、ＲＡＭ２７ｄを有する。タイマー２７ｂは現在の時間を検出する。ＲＯＭ２７ｃには、ＣＰＵ２７ａを動作させるための種々の演算を行うプログラムおよび天体画像に関するデータが記憶されており、記憶部として機能している。ＲＯＭ２７ｃに記憶された各種データは、ＣＰＵ２７ａからの指令により適宜読み出される。ＲＡＭ２７ｄには、操作部２９の各ボタンから入力されたデータや、演算結果等が適宜記憶されるとともに、必要に応じて記憶されているデータをＣＰＵ２７ａに読み込まれる。なお、ＲＯＭ２７ｃに記憶されている天体画像に関するデータには、天体画像を表示するためのデータの他、少なくとも星座または天体の名称データ、星座絵、星座線を表示するためのデータ、星座および天体毎に互いに重複しないように定められた当該星座または天体が天球上で占める領域に関するデータが含まれている。
【００２７】
ＣＰＵ２７ａには、操作部２９のメニューボタン２９ａ、十字ボタン２９ｂ、決定ボタン２９ｃ、キャンセルボタン２９ｄ、撮影ボタン２９ｅが接続されている。メニューボタン２９ａを押すと、ＣＰＵ２７ａはＲＯＭ２７ｃに記憶されているプログラムに基づき、液晶表示板２８に種々の選択肢からなるメニューを表示する。また、その際に、十字ボタン２９ｂを押すと、メニュー内で現在選択している選択肢を変更することができ、決定ボタン２９ｃを押すと現在選択している選択肢の実行が決定される。キャンセルボタン２９ｄは、一つ前の画面に切り替えたり、ページを戻す。また、メニュー内には観測位置、日時を入力するための選択肢があり、その際にも十字ボタン２９ｂ、決定ボタン２９ｃ、キャンセルボタン２９ｄを組み合わせて観測位置、日時を入力可能である。また、擬似天体観測を実行中は、十字ボタン２９ｂを押すと、カーソル３７を天球に対して移動させたり、天球のズームインおよびズームアウト等を行うことができる。また、撮影ボタン２９ｅは、液晶表示板２８に表示されている天体画像を画像データとして記録、すなわち、「撮影」して、そのデータ（撮像データ）をＣＰＵ２７ａへ伝達する。
【００２８】
また、ＣＰＵ２７ａには、センサ部３１の３軸磁気方位センサ３１ａ、３軸加速度センサ３１ｂ、ＧＰＳ受信部３１ｃが接続されている。３軸磁気方位センサ３１ａは接眼部２４から見て液晶表示板２８が存在する方向が向いている方位を検出し、３軸加速度センサ３１ｂは液晶表示板２８の重力方向に対する傾きをを検出し、ＧＰＳ受信部３１ｃは装置本体２０の現在位置を検出し、各検出信号はＣＰＵ２７ａに伝達される。なお、ＧＰＳ受信部３１ｃは必須ではなく、前述のメニューボタン２９ａを押すことにより表示されるメニューから、ユーザが手動で装置本体２０の現在位置を観測位置として入力するようにしても良い。また、ＣＰＵ２７ａには液晶表示板２８が接続されており、ＲＯＭ２７ｃに記憶されたプログラムやデータに基づいて、メニューや天体画像、表示されている天体、星座に関するデータ等を表示する。また、ＣＰＵ２７ａは、同じくＲＯＭ２７ｃに記憶されたプログラムに基づいて、液晶表示板２８に表示されている天体画像と重ねてカーソル３７を表示している。また、ＣＰＵ２７ａは、ＲＯＭ２７ｃに記憶されたプログラムと、星座および天体毎に互いに重複しないように定められた当該星座または天体が天球上で占める領域に関するデータに基づいて、カーソル３７がいずれの星座または天体が天球上で占める領域にあるか、すなわち、カーソルがどの星座または天体と一致しているかを判断している。
【００２９】
次に、擬似天体観測体験装置１０の操作について説明する。
擬似天体観測体験装置１０の使用状態としては、図２に示すように装置本体２０を台座４０に固定しての固定使用と、図３に示すように装置本体２０を台座４０から外し、図７に示すようにユーザMが把持して使用するハンディ使用と、を選択できる。固定使用は、例えば学校における教育のように同時に多数のユーザが天体を見る場合に、ジャックパネル３２のＡＶジャック３２ａにテレビ等の大型の表示装置を接続して表示するのに適する。また、ハンディ使用は、ユーザが個人で天体観測の雰囲気を得たい場合等に適し、バッテリーボックス３３を電源とするのが便利である。
【００３０】
使用時には、まず、ジャックパネル３２の電源スイッチ３２ｂをＯＮにし、接眼レンズ２５を覗いて液晶表示板２８を見る。初めて使用する際には、操作部２９の各ボタンを用いて、現在の日時の設定、現在地の設定等の初期設定を行う。
【００３１】
次に、メニューボタン２９ａを押してメインメニューを表示し、使用モードを選択する。使用モードの選択肢としては、例えば、「天体観測モード」、「星を探そうモード」、「星座パズルモード」等が選択できる。
【００３２】
まず、「天体観測モード」について説明する。「天体観測モード」は、天球に映し出される天体を自由に観測するモードである。液晶表示板２８には、表示している天球がいつの時点の天球なのかを表す、観測年月日および観測時刻、カーソル３７および天体画像が表示される。
なお、図８（Ａ）〜（Ｃ）に示すように、液晶表示板２８に表示される天体画像の表示状態としては、例えば星座線ＳＬが表示されておらず、ＣＰＵ２７ａがカーソル３７が一致していると判断した星座についてのみ星座線ＳＬが表示される状態（図８（Ａ）参照）と、星座または天体の名称ＳＮは表示されておらず、ＣＰＵ２７ａがカーソル３７が一致していると判断した星座または天体についてのみ星座または天体の名称ＳＮが表示される状態（図８（Ｂ）参照）と、星座または天体の名称ＳＮ、星座絵、星座線ＳＬが全て表示された状態（図８（Ｃ）参照）とがあり、操作部２９のボタン操作により表示状態を切り替えることができる。
【００３３】
次に、メニューボタン２９ａ、十字ボタン２９ｂ、決定ボタン２９ｃ等を用いて、センサーモードおよびカーソルモードの選択を行う。
ここで、センサーモードとは、接眼部２４，２４から見て液晶表示板２８が存在する方向が向いている方位と、および液晶表示板２８の重力方向に対する傾きを、装置本体２０に搭載されている３軸磁気方位センサ３１ａと３軸加速度センサ３１ｂによって検出し、接眼部２４，２４から見て液晶表示板２８が存在する方向にある実際の天体を液晶表示板２８に表示するモードをいう。従って、センサーモードには、前述したハンディ使用が適する。また、カーソルモードとは、操作部２９の十字ボタン２９ｂを用いてカーソル３７を天球に対して移動させて、表示する天体を上下左右に移動させるモードをいう。従って、カーソルモードには、前述した固定使用が適する。
【００３４】
観測（擬似観測）を開始する際には、まず観測日時を設定する。ただし、現在の日時における天体を観測したい場合には、タイマー２７ｂが計時しているので日時の入力は不要である。一方、現在の日時と異なる日時における天体を観測したい場合には、操作部２９の各ボタンを用いて、メニューの選択肢から観測日時入力を選択し、観測を行う日時を入力する。例えば、１９００年１月１日〜２０９９年１２月３１日の範囲で指定することができ、このことにより過去、現在、未来の天体観測を行うことができる。
【００３５】
次いで、観測地を設定する。現在地における天体を観測したい場合には、ＧＰＳ受信部３１ｃ検出した現在地、または、ＧＰＳ受信部３１ｃがない場合は初期設定時に設定した現在地を観測地とするので、観測地の入力は不要である。一方、現在地と異なる観測地において天体の観測を行いたい場合には、操作部２９の各ボタンを用いて、メニューの選択肢から観測地入力を選択し、観測を行う場所を入力する。例えば、観測地として登録されている日本および外国の地名で入力したり、観測地の緯度経度で入力することができる。これにより、世界中のあらゆる場所における天体観測が体験可能になる。すなわち、操作部２９の各ボタンとＧＰＳ受信部３１ｃが本考案にいう「入力部」に相当する。
また、メニューの選択肢として、地平線の表示あるいは非表示の選択ができる選択肢を設けても良い。地平線を非表示あるいは透明に設定することにより、本来地平線の下に隠れて見えない方向の天体も液晶表示板２８に表示して観測することができる。
【００３６】
表示される天体情報（星座または天体の名称、星座線等）は、操作部２９のボタン（例えば、決定ボタン２９ｃ）を用いて、表示・非表示を選択できる。また、表示される天体画像においては、太陽系の惑星や月は、現実の天体観測時に見える大きさよりも大きく表示して、目印となるようにしている。また、月の満ち欠けを観測できるようにしても良い。
表示されている天体画像は、操作部２９の撮影ボタン２９ｅを用いて画像データとして記録する、すなわち、擬似的に「撮影」することができ、記録した画像データ（擬似的な「撮影写真」）を蓄積して、アルバムを作成することができる。
【００３７】
次に、「星を探そうモード」について説明する。「星を探そうモード」は、操作部２９の各ボタンを用いて、予めあるいは後から記憶されたリストの中から目的の星を選んで探すモードである。液晶表示板２８に、目的の星がある方向を示す矢印が表示されるので、ハンディ使用におけるセンサーモードの場合には、接眼部２４，２４から見て液晶表示板２８が存在する方向を矢印の方向へ向けるように、装置本体２０を動かしていくと、目的の星を液晶表示板２８に表示させることができる。また、固定使用におけるカーソルモードの場合には、操作部２９の十字ボタン２９ｂを用いてカーソル３７を天球に対して矢印方向へ移動させることにより、目的の星を液晶表示板２８に表示させることができる。目的の星が表示されたら、撮影ボタン２９ｅにより撮影して、画像データとして記録することができる。
【００３８】
次に、「星座パズルモード」について説明する。「星座パズルモード」は、選択した星座と同じ形の星座を天球から探し、パズルのように当てはめるモードである。「星座パズルモード」は、接眼部２４，２４から見て液晶表示板２８が存在する方向を、ユーザが装置本体２０を動かすことで変化させて、星座を探すので、ハンディ使用におけるセンサーモードにおいてのみ使用できる。
【００３９】
また、擬似天体観測体験装置１０の使用時には、スピーカ３４から音楽（BGM）を流すこともできる。
【００４０】
以上、説明した本考案にかかる擬似天体観測体験装置１０によれば、ユーザＭは、擬似天体観測体験装置１０の筐体２１の接眼部２４から覗いて、筐体２１内部に設けられている液晶表示板２８に表示される天体画像を視認するので、あたかも望遠鏡を用いて天体観測しているようで、違和感なく天体観測を疑似体験することができる。また、液晶表示板２８には、入力部（操作部２９の各ボタンまたはＧＰＳ受信部３１ｃ）から入力された観測位置および日時と、３軸磁気方位センサ３１ａで検出された方位（接眼部２４，２４から見て液晶表示板２８が存在する方向が向いている方位）と、３軸加速度センサ３１ｂで検出された傾き（液晶表示板２８の重力方向に対する傾き）と、に応じた天体画像が表示されるので、屋内に居ながら、現在、過去、未来および地球上のあらゆる場所から見える天体を観測することができる。
【００４１】
また、ＡＶジャック３２ａをテレビ等の表示手段に接続することにより、擬似天体観測体験装置１０の液晶表示板２８に表示される天体画像を表示することができるので、同時に多数人によって天体画像を観測することができ、学校教育等に適する。
【００４２】
さらに、天体画像の表示状態を、使用目的に応じて、種々の状態に切り替えることができる。すなわち、操作部２９のボタンの操作に応じて、天体画像の表示状態を、星座または天体の名称、星座絵、星座線が全て表示された状態と、星座または天体の名称は表示されておらず、カーソル３７が一致した星座または天体についてのみ星座または天体の名称が表示される状態と、星座線が表示されておらず、カーソル３７が一致した星座についてのみ星座線が表示される状態との間で切り替えることができる。
【００４３】
以上、本考案の好ましい実施例について詳述したが、本考案に係る擬似天体観測体験装置１０は上述した実施例に限定されるものではなく、実用新案登録請求の範囲に記載された本考案の要旨の範囲内において、種々の変形、変化が可能である。
【符号の説明】
【００４４】
１０      擬似天体観測体験装置
２１      筐体
２４      接眼部
２８      液晶表示板（表示部）
３１ａ    ３軸磁気方位センサ（方位検出手段）
３１ｂ    ３軸加速度センサ（傾き検出手段）
３２ａ    ＡＶジャック（外部出力端子）
３７      カーソル
Ｍ
ユーザ
【図１】
0003158703.tif 000003
【図２】
0003158703.tif 000004
【図３】
0003158703.tif 000005
【図４】
0003158703.tif 000006
【図５】
0003158703.tif 000007
【図６】
0003158703.tif 000008
【図７】
0003158703.tif 000009
【図８】
0003158703.tif 000010